(57)【要約】移動ワイヤレスターミナル(101)は、ショートレンジ通信システムの問合せ側ターミナルによりアクセスするためのユーザパーソナルプロフィールを形成し、編集しそして記憶する装置を備えている。移動ワイヤレスターミナルは、ユーザ連絡情報を含む標準フォーマットプロフィール(301)、ユーザ関心事の標準フォーマットプロフィール(304)、及びユーザ又は製造者定義プロフィール(312)を記憶するためのデータベースを含む。パーソナルプロフィールは、サービス発見プロトコルデータベース(209)の単一記録に記憶される。移動ターミナルにおけるスクリーンディスプレイ装置(201)は、ユーザプロフィールを形成し、編集しそして記憶するためにユーザアクセスするためのプロフィールのインデックス及びコンテンツを表示する。移動ターミナルは、問合せ側ターミナルからのＳＤＰ問合せに応答して、ユーザ定義パーソナルプロフィールへアクセスしそしてそれを取得するための装置を含む。
2005519372.tif 000002
【特許請求の範囲】
【請求項１】
ユーザのショートレンジワイヤレスターミナルにおいてワイヤレスネットワーク内の問合せ側ワイヤレスターミナルとでユーザのパーソナルプロフィールを共有するための方法であって、
前記ユーザのショートレンジワイヤレスターミナルのデータベースにユーザのパーソナルプロフィールをインストールし、
前記パーソナルプロフィールを、それが前記ユーザのショートレンジワイヤレスターミナルにある間に、ユーザの入力に応答して編集し、そして
前記ユーザのパーソナルプロフィールを前記ユーザのショートレンジワイヤレスターミナルから問合せ側ワイヤレスターミナルへ送信する、
という段階を備えた方法。
【請求項２】
前記ユーザのショートレンジワイヤレスターミナル及び前記問合せ側ワイヤレスターミナルは、ブルーツース装置である請求項１に記載の方法。
【請求項３】
前記ユーザのショートレンジワイヤレスターミナルを、問合せ側ワイヤレスターミナルによりユーザのパーソナルプロフィールにアクセスするのを許す状態にセットする段階を更に備えた請求項２に記載の方法。
【請求項４】
ユーザのパーソナルプロフィールをインストールする前記段階は、更に、
ユーザのパーソナルプロフィールの標準化フォームをサービス発見プロトコル（ＳＤＰ）記録にインストールすることを含む請求項２に記載の方法。
【請求項５】
ユーザのパーソナルプロフィールをインストールする前記段階は、更に、
複数のフィールドにより定義されたＳＤＰ記録にユーザの関心のリストを含ませる段階を備え、各フィールドは、一連の属性を含み、そして各属性は、名前、形式及び値により定義される請求項４に記載の方法。
【請求項６】
ユーザのパーソナルプロフィールをインストールする前記段階は、更に、
各指定の関心を特徴付けるビットマスクを含ませる段階を備えた請求項５に記載の方法。
【請求項７】
ユーザのパーソナルプロフィールをインストールする前記段階は、更に、
個人化データの完全な補数を１つのＳＤＰ記録に記憶する段階を備えた請求項５に記載の方法。
【請求項８】
到来するメッセージをフィルタする段階を更に備えた請求項２に記載の方法。
【請求項９】
パーソナルプロフィールを編集する前記段階は、更に、
ユーザのターミナルにインデックススクリーンを表示して、ユーザがプロセスに関連したキーワードを編集及び除去するためのプロセススクリーンにアクセスできるようにし、そして
ユーザのターミナルのユーザインターフェイスを使用して前記パーソナルプロフィールを編集及び更新する、
という段階を備えた請求項２に記載の方法。
【請求項１０】
ネットワークを経て前記パーソナルプロフィールをアップロードし、それらを集中化データベースに記憶し、
前記集中化データベースに接続されたコンピュータで前記パーソナルプロフィールを編集できるようにし、そして
前記編集されたパーソナルプロフィールを前記ユーザターミナルへダウンロードする、
という段階を更に備えた請求項２に記載の方法。
【請求項１１】
ユーザのパーソナルプロフィールをインストールする前記段階は、更に、
ユーザのパーソナルプロフィールを含む電話帳セクションと、詳細なパーソナル情報のためのより詳細なデータセクションとに分割されたデータベースに、ユーザのパーソナルプロフィールをインストールする段階を備えた請求項２に記載の方法。
【請求項１２】
ユーザのパーソナルプロフィールをインストールする前記段階は、更に、
名前及びコンタクト情報のような一般的情報を前記電話帳セクションに書き込む段階を備えた請求項１１に記載の方法。
【請求項１３】
ユーザのパーソナルプロフィールをインストールする前記段階は、更に、
スポーツの関心及び趣味の関心のような詳細なパーソナル情報を前記より詳細なデータセクションに書き込む段階を備えた請求項１１に記載の方法。
【請求項１４】
前記応答段階は、更に、
ＳＤＰトランザクションにおいて前記要求された情報に対して標準化フォーマットを与えるように応答する段階を備えた請求項２に記載の方法。
【請求項１５】
前記応答段階は、更に、
オブジェクト交換（ＯＢＥＸ）トランザクションにおいてデータベースから付加的なユーザ定義情報へのリンクを設けることにより応答に付加的な規準を与える段階を備えた請求項１４に記載の方法。
【請求項１６】
前記応答段階は、更に、
前記ユーザの電話帳からのユーザ情報を、ｖＣａｒｄ電子ビジネスカードフォーマットでエンコードして送信する段階を備えた請求項１５に記載の方法。
【請求項１７】
前記応答段階は、更に、
前記パーソナルプロフィールを拡張マークアップ言語（ＸＭＬ）でエンコードして送信する段階を備えた請求項１５に記載の方法。
【請求項１８】
前記ユーザのショートレンジワイヤレスターミナルは、ユーザのパーソナルプロフィールからの情報をプルモデルにおいて問合せ側ワイヤレスターミナルへ転送する請求項１に記載の方法。
【請求項１９】
前記ユーザのショートレンジワイヤレスターミナルは、ユーザのパーソナルプロフィールからの情報をプッシュモデルにおいて問合せ側ワイヤレスターミナルへ転送する請求項１に記載の方法。
【請求項２０】
前記ユーザのショートレンジワイヤレスターミナルは、ユーザのパーソナルプロフィールに対する一般的情報をプッシュモデルにおいて問合せ側ワイヤレスターミナルへ、認証又は暗号化を伴わずに、転送する請求項１に記載の方法。
【請求項２１】
ユーザのプロフィールにおけるより詳細なプライベート情報は、認証及び暗号化により保護される請求項２０に記載の方法。
【請求項２２】
前記ユーザのプロフィールにおけるより詳細なプライベート情報を送信する前に、前記ユーザのショートレンジワイヤレスターミナルは、問合せ側ワイヤレスターミナルとの基本帯域接続の暗号化に訴える請求項２１に記載の方法。
【請求項２３】
前記ユーザのショートレンジワイヤレスターミナルは、ユーザのパーソナルプロフィールに対する一般的情報をプルモデルにおいて問合せ側ワイヤレスターミナルへ、認証又は暗号化を伴わずに、転送する請求項１に記載の方法。
【請求項２４】
ユーザのプロフィールにおけるより詳細なプライベート情報は、認証及び暗号化により保護される請求項２３に記載の方法。
【請求項２５】
前記ユーザのプロフィールにおけるより詳細なプライベート情報を送信する前に、前記ユーザのショートレンジワイヤレスターミナルは、問合せ側ワイヤレスターミナルとの基本帯域接続の暗号化に訴える請求項２４に記載の方法。
【請求項２６】
前記ユーザのショートレンジワイヤレスターミナル及び問合せ側ワイヤレスターミナルは、サーバーに登録される請求項１に記載の方法。
【請求項２７】
前記サーバーは、ブルーツースリンクを経て前記ショートレンジワイヤレスターミナル及び問合せ側ワイヤレスターミナルへのマッチメークを、それらがサーバーに登録されたことに基づいて行なう請求項２６に記載の方法。
【請求項２８】
前記登録は、ユーザの資格をマッチメークについてチェックすることを含む請求項２７に記載の方法。
【請求項２９】
２人の登録されたユーザは、プライバシーに敏感な情報の交換を試みるときに、前記サーバーへリンクしてＰＩＮを得、これにより、前記ショートレンジワイヤレスターミナル及び問合せ側ワイヤレスターミナルの両方についてブルーツース認証手順を可能にする請求項２７に記載の方法。
【請求項３０】
前記ユーザのショートレンジワイヤレスターミナルは、各ユーザプロフィールが第１の厳密なマッチングレベルを有する場合に、パーソナルプロフィールにおける一般的な情報を前記問合せ側ワイヤレスターミナルとで共有する請求項１に記載の方法。
【請求項３１】
前記ユーザのショートレンジワイヤレスターミナルは、各ユーザプロフィールが、前記第１レベルより厳密な第２の厳密なマッチングレベルを有する場合に、パーソナルプロフィールにおけるより詳細なプライベート情報を前記問合せ側ワイヤレスターミナルとで共有する請求項１に記載の方法。
【請求項３２】
前記ユーザのショートレンジワイヤレスターミナルは、各ユーザプロフィールが規定の裕度内でマッチする場合に、パーソナルプロフィールにおける情報を前記問合せ側ワイヤレスターミナルとで共有する請求項１に記載の方法。
【請求項３３】
ショートレンジワイヤレス通信システムにおいて他のターミナルによりアクセスするためのパーソナルプロフィールを含むターミナルにおいて、
ａ）ユーザ定義プロフィールを含むデータベースと、
ｂ）前記ユーザ定義パーソナルプロフィールをユーザ入力に基づいて編集するためのデータベース管理装置と、
ｃ）ユーザアクセスのために前記パーソナルプロフィールを表示するスクリーンディスプレイ装置と、
ｄ）他のターミナルからの問合せに応答して前記ユーザ定義プロフィールへアクセスするための装置と、
を備えたターミナル。
【請求項３４】
ｅ）前記データベースに記憶される各プロフィールを定義する記録を更に備えた請求項３３に記載のターミナル。
【請求項３５】
ｆ）トランザクションにおいて他のターミナルによるアクセスを許すために個人化状態にターミナルをセットする個人化装置を更に備えた請求項３３に記載のターミナル。
【請求項３６】
ｇ）マッチするパーソナルプロフィールを有する他のターミナルに対してショートレンジ通信ネットワークをサーチするサーチ装置を更に備えた請求項３３に記載のターミナル。
【請求項３７】
ｈ）ユーザによりネットワークを経てアクセスするためにリモート集中化データベースにユーザ定義プロフィールを記憶するリモートプロフィール記憶装置を更に備えた請求項３３に記載のターミナル。
【発明の詳細な説明】
【技術分野】
【０００１】
本発明は、ショートレンジワイヤレス通信システム、ネットワーク、及び操作方法に係る。より詳細には、本発明は、ブルーツース(Bluetooth)規格を使用するショートレンジワイヤレス通信システムにおけるアドホックネットワークのためのパーソナルプロフィールの共有及び管理に係る。
本発明は、参考としてここに援用する２００２年２月２７日に出願された「Personal Profile Sharing and Management for Short-Range Wireless Terminals」と題する米国特許出願第１０／０８３，１３４号の優先権を請求する。
【背景技術】
【０００２】
アドホックネットワークは、比較的短い時間中に互いに連係して共通の目的を果たす移動ワイヤレス装置で主として構成されたショートレンジワイヤレスシステムである。このような一時的ネットワークは、ブルーツース規格では「ピコネット」、ＩＥＥＥ８０２．１１ワイヤレスＬＡＮ規格では「独立基本サービスセット」（ＩＢＳＳ）、ＨＩＰＥＲＬＡＮ規格では「サブネット」、そして他のワイヤレスＬＡＮ技術では一般的に無線セル又は「マイクロセル」と称される。アドホックネットワークは、通信できるに充分なほど物理的に接近し且つ規則的なベースで情報を交換するワイヤレス装置の任意の集合体であるという共通の特性を有する。これらネットワークは、著しいプランニングを伴わずに迅速に構成することができる。アドホックネットワークのメンバーは、互いのレンジに入ったり出たりするときに加わったり去ったりする。ほとんどのアドホックネットワークは、無線スペクトルを共有するためにキャリア感知プロトコルを使用して１から５４Ｍｂｐｓの速度で非認可の無線周波数にわたって動作する。それらが通信できる距離は、ブルーツースアドホックネットワークの場合の１０メーターから、オープン環境におけるワイヤレスＬＡＮマイクロセルの場合の１００メーター以上である。アドホックネットワークは、主として、移動ワイヤレス装置で構成されるが、１つ以上のアクセスポイントを含むこともでき、これらアクセスポイントは、スタンドアローンサーバーとして動作するか又はゲートウェイとして他のネットワークに接続された固定ワイヤレス装置である。
【０００３】
ブルーツースは、最初ケーブルに代わるものとして意図されたショートレンジ無線ネットワークである。これは、８個までの装置が一緒に動作するアドホックネットワークを形成するのに使用できる。ブルーツース・スペシャル・インタレスト・グループ、「Specification Of The Bluetooth System」、第１及び２巻、コア・アンド・プロフィール：バージョン１．１、２００１年２月２２日には、ブルーツース装置の動作原理及び通信プロトコルが説明されている。装置は、工業、科学及び医療（ＩＳＭ）用途で一般的に使用するように指定された２．４ＧＨｚの無線帯域で動作する。ブルーツース装置は、１０メーターの無線通信レンジ内で他のブルーツース装置を見出すと共に、それらがどんなサービスをオファーするか、サービス発見プロトコル（ＳＤＰ）を使用して発見するように設計される。ＳＤＰのサーチ機能は、クライアントの役割を果たす要求側ブルーツース装置と、サーバーの役割を果たす応答側ブルーツース装置との間に確立されるリンクに依存する。リンクが確立されると、これを使用して、応答側ブルーツース装置のサービスと、それらにいかに接続するかを見出すことができる。
【０００４】
ブルーツース規格、ＩＥＥＥ８０２．１１ワイヤレスＬＡＮ規格及びＨＩＰＥＲＬＡＮ規格に加えて、他のワイヤレス規格もアドホックネットワークをサポートする。例えば、ＩＥＥＥ８０２．１５ワイヤレスパーソナルエリアネットワーク（ＷＰＡＮ）規格、赤外線データ関連付け（ＩｒＤＡ）規格、デジタルエンハンストコードレステレコミュニケーション（ＤＥＣＴ）規格、シェアドワイヤレスアクセスプロトコル（ＳＷＡＰ）規格、日本の第３世代（３Ｇ）ワイヤレス規格、及びジャパニーズ・アソシエーション・オブ・ラジオ・インダストリー・アンド・ビジネスのマルチメディア移動アクセス通信（ＭＭＡＣ）システム規格が含まれる。
【０００５】
ブルーツースユニットは、他のユニットと通信するところの一般的な振舞いを有する。これらの振舞いは、「アプリケーションプロフィール」と称される。前記仕様書のバージョン１．１には、一般的アクセスプロフィール（ＧＡＰ）、サービス発見プロフィール（ＳＤＰ）、一般的オブジェクト交換プロフィール（ＧＯＥＰ）、及びオブジェクトプッシュプロフィールを含む１３個のアプリケーションプロフィールが記載されている。
【０００６】
一般的アクセスプロフィール（ＧＡＰ）は、２つのブルーツースユニットがいかに互いを発見して接続を確立するか定義している。サービス発見プロトコル（ＳＤＰ）は、他のユニットからのブルーツースユニットに利用可能なサービスの調査を定義している。一般的オブジェクト交換プロフィール（ＧＯＥＰ）は、例えば、オブジェクト交換（ＯＢＥＸ）規格を使用するファイル転送同期のように、オブジェクト交換を取り扱う際にアプリケーションにより使用される１組のプロトコル及び手順を定義している。ＯＢＥＸ規格は、赤外線データ関連付け（ＩｒＤＡ）、オブジェクト交換プロトコル、バージョン１．２によって指定される。ＯＢＥＸ規格は、ブルーツースにより、多数の要求／応答交換を許す２進ＨＴＴＰプロトコルとして採用されている。ブルーツースオブジェクトプッシュプロフィール仕様は、ＯＢＥＸ規格を使用して仮想ビジネスカードを交換するアプリケーションについて説明している。
【０００７】
パーソナルプロフィールは、公式な１組の１３個のブルーツースアプリケーションプロフィールとは異なる。パーソナルプロフィールは、ワイヤレス移動装置間で交換されるよう意図されたデータセットである。パーソナルプロフィールは、ユーザ及びその装置について記述した情報を与え、ユーザの装置の機能及び通信特徴に関して他のユーザに通知すると共に、ユーザの特徴及び関心についても通知する。現在、パーソナルプロフィールは、ユーザにより作成されて集中化サーバーへ送信され、集中化サーバーは、他のユーザによるアクセスを管理するためにサービスプロバイダーによって動作される。必要とされるのは、ユーザが、自分の移動ワイヤレスターミナルを個人化して、例えば、アドホックネットワークにおいて他の装置と共有するためにそのターミナルでパーソナルパラメータをリアルタイムで変更及び管理できるようにする機構又は技術である。
【０００８】
パーソナルプロフィールに関連した従来技術は、２０００年３月１日に出願されて、２００１年９月５日に公告されたＤ．マンデータ氏の「Management of User Profile Data」と題するＥＰ１１３０８６９Ａ１号を含む。この参照文献は、メッセージをユーザ間にほぼリアルタイムで送信できるようにするインスタントメッセージブローカー（ＩＭＢ）システムを開示している。ＩＭＢは、ＩＰ及び移動テレコミュニケーションネットワークのようなネットワーク技術を一体化して、ユーザが機能にアクセスし、タスクを実行しそしてプロセス情報を被呼者へ配送できるようにする分散型処理システムである。ＩＭＢは、ターミナル装置のユーザが情報送信内にアクセスすることに関連したユーザ情報及び／又はユーザの好みのセットを表わすユーザプロフィールデータを記憶して管理するためのデータベースを備えている。このデータベースは、各ユーザに対して、少なくとも１つのカスタマイズ可能なユーザプロフィールを含み、これは、ユーザにより作成、編集及び削除することができる。各カスタマイズ可能なユーザプロフィールは、ユーザの物理的な位置及び／又は論理的コンテクストを表わすユーザの環境に関連付けされる。データベースは、１人のユーザに対して複数のユーザプロフィールを備え、ユーザのユーザプロフィールは、同時に１つだけアクティブとなる。各加入者は、ユーザプロフィールデータベース内に準備された加入者自身のデータスペースであるいわゆるユーザスペースに複数のユーザプロフィールをもつことができる。ユーザは、異なる状況に対して異なるコンテクストを定義し、そしてそれらの間を動的に切り換えることができる。現在使用されているアクティブなコンテクストは、いかに加入者に到達できるかを記述する。この記述は、ユーザが現在好ましいターミナル装置においてオンラインであるかどうかの指示を含む。更に、１組の別のターミナル装置が設けられ、好ましい装置においてＩＭＢ加入者にコンタクトしてもよいし、又は到達できないこともある。又、インスタントメッセージの付加的なコピーを受信するのに別のターミナル装置を使用することもできる。
【発明の開示】
【発明が解決しようとする課題】
【０００９】
従来技術は、ユーザによりユーザの移動ターミナルにインストールされ、編集されそして管理される個人化されたユーザプロフィールを含むワイヤレス移動ターミナルを記述も示唆もしていない。この能力を必要とするのは、例えば、潜在的顧客の認知された関心にマッチするようにセールス代表者の仮想ビジネスカードをリアルタイムで変更することである。現在、セールス代表者は、自分の仮想ビジネスカードに情報をリアルタイムで追加又は更新することができない。この能力を必要とする別の例は、デーティング／マッチメーク筋書き(dating/match-making scenario)である。仮想ビジネスカードの交換を伴うチャンスミーティングの間に、ユーザは、他のユーザの認知された関心にマッチさせるように自分のパーソナル関心情報をリアルタイムで変更することを希望する。
【００１０】
更に、従来技術は、個人化されたユーザプロフィールを、ユーザのワイヤレス移動ターミナルから、サービスプロバイダーにより操作されるサーバーへアップロードし、ユーザがこれにアクセスしてプロフィールを更新し、次いで、それをユーザのワイヤレス装置へ返送することについて記述も示唆もしていない。
【課題を解決するための手段】
【００１１】
上述した従来技術の制約を克服すると共に、本明細書を読んで理解したときに明らかとなる他の制約も克服するために、本発明は、ユーザのパーソナルプロフィールを共有する方法及び装置を提供することに向けられる。ユーザのパーソナルプロフィールは、アドホックネットワークの問合せ側ブルーツース移動ターミナルとで共用するために、ユーザのブルーツース移動ターミナルのサービス発見プロトコル（ＳＤＰ）データベースにインストールされる。パーソナルプロフィールに対する変更は、ユーザターミナルにおいて一度入力するだけでよい。ユーザのパーソナルプロフィールは、ユーザのターミナルがそのパーソナルプロフィール応答状態を「オン」にセットしたときに問合せ側ブルーツースターミナルによりアクセスされてもよい。ユーザのパーソナルプロフィールの標準化フォームは、ＳＤＰ記録に組み込まれる。パーソナルプロフィールは、複数のフィールドにより定義されたユーザの関心のリストを含み、各フィールドは、一連の属性を含み、そして各属性は、名前、形式及び値により定義される。ユーザの各指定の関心は、それ自身のビットマスクを有する。あまりに多くの属性／ビットマスクが記録に割り当てられない場合には、個人化データの全補数が１つのＳＤＰ記録に記憶されてもよい。属性／ビットマスクは、名前、形式及び値を分離するためにセミコロンを使用して記録に割り当てられる（例えば、ＮＡＭＥ；ＳＴＲＩＮＧ；Ｔｏｍｉ  Ｈｅｉｎｏｎｅｎ；ＡＧＥ；ＩＮＴ；３３、・・・）。ユーザの移動ターミナルは、メッセージ及びパーソナルプロフィールを取り扱うためのプロセスと、到来メッセージをフィルタするためのプロセスとを与える。ユーザターミナルのインデックススクリーンは、ユーザがプロセススクリーンにアクセスして、プロセスに関連したキーワードを編集及び除去できるようにする。パーソナルプロフィールの編集及び更新は、ユーザの移動ターミナルのユーザインターフェイスを使用して実行することができる。
【００１２】
別の実施形態では、ユーザの移動ターミナルにおいて限定されたスクリーンサイズを受け入れるために、パーソナルプロフィール及びメッセージフィルタの編集は、デスクトップコンピュータにおいてこのオペレーションを実行することにより容易にされる。パーソナルプロフィールは、ウェブを経てアップロードされて、集中化データベースに記憶され、ユーザのデスクトップコンピュータにおいて編集できるようにされる。更新されたパーソナルプロフィールは、次いで、ユーザの移動ターミナルへダウンロードすることができる。従って、パーソナルプロフィールの更新は、ターミナルプロフィールと同期されてもよい。
【００１３】
応答側のユーザターミナルがそのパーソナルプロフィール応答状態を「オン」にセットした場合には、問合せ側ターミナルは、ＳＤＰ問合せを行ってパーソナルプロフィールを要求することができる。ＳＤＰ問合せは、応答側ユーザターミナルのＳＤＰデータベースにアクセスし、このデータベースは、ユーザのパーソナルプロフィールを含む電話帳セクションと、詳細なパーソナル情報のためのより詳細なデータセクションとに分割されている。電話帳セクションは、例えば、名前、性別、年齢、連絡情報等の「一般的」情報を含むことができる。より詳細なデータセクションは、スポーツの関心、趣味の関心等の詳細なパーソナルプロフィール情報を含むことができる。応答側のユーザターミナルは、ＳＤＰトランザクションにおいて、要求された情報に対する標準フォーマットを与えるように応答する。付加的なユーザ定義情報へのリンクを与える付加的な基準を応答に含ませることもできる。問合せ側ターミナル又はクライアントが付加的なユーザ定義情報を希望する場合には、問合せ側クライアントは、オブジェクト交換（ＯＢＥＸ）トランザクションにおいてＳＤＰデータベースから情報を検索することができる。それに応答して、問合せ側クライアントは、ユーザの電話帳からユーザ情報を受信する。通常、ユーザの電話帳は、ｖＣａｒｄ電子ビジネスカードフォーマットのようなフォーマットでエンコードされる。又、問合せ側クライアントは、拡張マークアップ言語（ＸＭＬ）でエンコードされたユーザ定義パーソナルプロフィールも受信する。
【００１４】
１つの態様において、ワイヤレスターミナルのユーザが自分のパーソナルプロフィール情報を問合せ側装置に与えることを希望するときに、ユーザは、パーソナルプロフィール応答状態を「オン」にセットする。これは、ユーザのワイヤレス装置が、その問合せ応答パケットの装置クラス(class-of-device)（ＣｏＤ）フィールドに、そのパーソナルプロフィールを使用できるという状態を書き込むようにさせる。ユーザのワイヤレスターミナルは、その問合せ応答パケットの装置クラス（ＣｏＤ）フィールドに、デーティング／マッチメーク情報のような特定形式のパーソナルプロフィール情報が使用できることを指示するように、そのユーザによりセットすることができる。問合せ側装置は、その特定の装置クラス（ＣｏＤ）を確認し、そしてそれに応答して、ユーザのワイヤレスターミナルのＳＤＰサービス記録をブラウジング又はサーチするように、そのユーザによりプログラムすることができる。
【００１５】
ユーザターミナルそれ自体は、ＳＤＰ問合せを実行して、パーソナルプロフィールをサポートする他のターミナルを見出してもよい。ターミナル間に接続が形成されると、個人化された位置従属サービス、デーティングサービス、ユーザ定義基準にマッチするプロフィールの識別を含む種々のサービスを提供することができる。
【００１６】
本発明の特徴は、ショートレンジ通信システムのアドホックネットワーク内の他のターミナルとで共有するために、ワイヤレス移動ターミナルにおいてユーザのパーソナルプロフィールを形成し、編集しそして記憶することである。
【００１７】
本発明の別の特徴は、単一のサービス発見プロトコル（ＳＤＰ）記録にユーザの全パーソナルプロフィールを記憶することであり、この記録は、連絡情報、ユーザの関心の標準フォーマットプロフィール、及びユーザ又は製造者定義情報を含む。
【００１８】
本発明の更に別の特徴は、パーソナルプロフィールをユーザの移動ターミナルからアップロードして、それらを、デスクトップコンピュータからアクセスできるサービスプロバイダーのサーバーに記憶し、ユーザがデスクトップコンピュータを使用してそのパーソナルプロフィールを便利に編集及び更新できると共に、その更新されたパーソナルプロフィールをユーザの移動ターミナルへ返送できるようにする。
【００１９】
本発明の別の実施形態では、プッシュモードは、ユーザターミナルがユーザプロフィール情報を放送できるようにする。
本発明の更に別の実施形態では、ユーザのショートレンジワイヤレスターミナルは、各ユーザプロフィールが規定の裕度内でマッチする場合に、そのパーソナルプロフィールの情報を問合せ側ワイヤレスターミナルとで共有することができる。
【００２０】
本発明の更に別の実施形態では、ユーザのショートレンジワイヤレスターミナルは、各ユーザプロフィールが第１の厳密なマッチングレベルを有する場合に、そのローカルユーザプロフィールの一般的情報部分を別のショートレンジワイヤレスターミナルとで共有することができる。各ユーザプロフィールが第２の厳密なマッチングレベルを有する場合には、２つのターミナルは、各ユーザプロフィールにおけるより詳細な情報を更に共有することができる。
【００２１】
本発明の更に別の実施形態では、サーバーは、装置のユーザを登録することによりブルーツースリンクを経てマッチメークサービスを提供することができる。この登録は、ある年齢を越えるような、マッチメークのためのユーザの資格をチェックすることを含む。従って、２人の各登録されたユーザは、実際に互いに会話に加わらずにプライバシーに敏感な情報の交換を試みる場合に、サーバーへリンクし、サーバーは同じＰＩＮを両装置へ配送し、これにより、ブルーツース認証手順を両装置のバックグランドで自動的に実行することができる。
【発明を実施するための最良の形態】
【００２２】
以下、添付図面を参照して、本発明の好ましい実施形態を詳細に説明する。
種々の実施形態の以下の説明では、本明細書の一部分を形成しそして本発明が実施される種々の実施形態を例示する添付図面を参照する。他の実施形態が使用されてもよく、そして本発明の範囲から逸脱せずに構造的及び機能的変更がなされてもよい。
【００２３】
図１は、アドホックネットワーク内のワイヤレス移動ターミナルに対してパーソナルプロフィール共有を与えるシステム１００を示す。ユーザターミナル１０１、通常、ブルーツース装置は、メモリ１０３を備え、該メモリは、ブラウザ１０５と、オペレーティングシステム（図示せず）と、プロフィールエディタ及びマネージャー１０８と、パーソナルプロフィール１０７とを記憶し、該パーソナルプロフィールは、ユーザの関心事、又はアドホックネットワーク１０９のターのターミナルからの受信問合せを指示する。ユーザターミナル１０１は、ディスプレイと、キーパッド１１３と、ショートレンジ通信システムの他のブルーツース装置１１９、１２１及び１２３へ信号１１７を送信したり受信したりするためのアンテナ１１５とを含む。又、アンテナ１１５は、アクセスポイント１２５に信号１１７’を送信したり受信したりもし、該アクセスポイントは、ネットワーク１２７、例えば、インターネットを経て、サービスプロバイダーにより操作されるパーソナルデータサーバー１２９にリンクされる。ブルーツース装置として実施されるシステム１００のターミナル又はワイヤレス装置について以下に説明する。しかしながら、システム１００のターミナル又はワイヤレス装置は、ＩＥＥＥ８０２．１１ワイヤレスＬＡＮ規格及びＨＩＰＥＲＬＡＮ規格のような他のワイヤレス規格で実施することもできる。
【００２４】
２つのブルーツース装置間の接続は、問合せ側装置が問合せアクセスコード（ＩＡＣ）を含む問合せメッセージを送出してその付近の他の装置をサーチすることにより開始される。問合せ走査を行うことにより、同じ問合せアクセスコード（ＩＡＣ）を含む問合せメッセージを聴取する他のブルーツース装置は、その問合せメッセージを確認し、応答する。この問合せ応答は、応答側装置のブルーツース装置アドレス（ＢＤ＿ＡＤＤＲ）を含むメッセージパケットである。ブルーツース装置アドレスは、各ブルーツース装置に電子的に彫り込まれる独特の４８ビットＩＥＥＥアドレスである。
【００２５】
問合せ側装置は、問合せ応答パケットに与えられる情報を使用して、ページングメッセージを作成し、応答側装置へ送信する。接続を確立するために、問合せ側装置は、ページ状態に入らねばならない。ページ状態では、問合せ側装置は、問合せ応答パケットから取得した装置アクセスコード及びタイミング情報を使用して応答側装置へ初期ページングメッセージを送信する。応答側装置は、問合せ側装置がこれに接続するのを許すにはページ走査状態になければならない。ページ走査状態になると、応答側装置は、初期ページングメッセージを確認し、そして問合せ側装置は、ページングパケットを送信し、これは、問合せ側装置のクロックタイミング及びアクセスコードを応答側装置へ与える。応答側装置は、ページ確認パケットで応答する。これは、２つの装置が接続を形成すると共に、両装置が接続状態へ遷移できるようにする。接続を開始した問合せ側装置は、新たなアドホックネットワークにおいてマスター装置の役割を担い、そして応答側装置は、スレーブ装置の役割を担う。
【００２６】
各アドホックネットワークは、１つのマスター装置と、７個までのアクティブなスレーブ装置とを有する。全ての通信は、マスター装置と各スレーブ装置との間に向けられる。マスターは、データの交換を開始し、そしてスレーブは、マスターに応答する。２つのスレーブ装置が互いに通信すべきときには、マスター装置を経て行わねばならない。マスター装置は、アドホックネットワークのネットワーククロックを維持し、そして各スレーブ装置がいつマスター装置と通信できるか制御する。アドホックネットワークのメンバーは、マスター装置のレンジに入ったり出たりするときに加わったり去ったりする。アドホックネットワークは、共同研究プロジェクトや、共同ゲームや、インターネットへのマルチユーザゲートウェイのような分散型アクティビティをサポートする。特定のアドホックネットワークに加わるユーザ装置は、そのユーザが現在実行中の共同アクティビティに参加するためにこれを行なう。
【００２７】
図２は、ユーザターミナル１０１の一実施形態を示す。ターミナル１０１に含まれるのは、アクセスポイント１２７や、例えば、アドホックネットワーク１０９のようなピコネットの他のターミナル１１９、・・・１２３から受信されたメッセージを表示するためのディスプレイ２０１であり、ここでは、ターミナル１１９が問合せ側装置として働いてもよい。キーパッド１１３のような入力装置２０３は、アクセスポイント又は他のターミナルへ送信するためのデータをユーザが入力できるようにする。入力装置２０３は、電話帳情報２０７、サービス発見データベース２０９及びパーソナルプロフィールデータベース２１１を含む記憶エリア２０５に記憶されたユーザパーソナルプロフィールに対する変更をユーザが入力できるようにする。ＣＰＵ２１３は、入力２０３及び記憶装置２０５に接続されると共に、上述したブルーツース接続／切断プロセスのためのオペレーティングシステム（図示せず）及びプロトコルを含むメモリ２１５にも接続される。ショートレンジトランシーバ２１７は、装置１１９、１２１及び１２３や、アクセスポイント１２５へ信号を送信したり受信したりするためにアンテナ１１５にリンクされる。
【００２８】
図１のアドホックネットワーク１０９では、問合せ側装置１１９は、そのエリアの他のブルーツース装置、例えば、ユーザターミナル１０１へ問合せを送信する。問合せ側装置１１９は、問合せパケットを周期的に送信する。パケットの一般的問合せアクセスコード（ＧＩＡＣ）が全ブルーツース装置により問合せメッセージとして確認される。問合せて順の間に、問合せ走査状態にある他のブルーツース装置、例えば、ユーザターミナル１０１は、問合せパケットの受信に対して走査を行う。問合せ走査状態にあるユーザターミナル１０１が、ＩＡＣのマッチする問合せパケットを受信した場合には、問合せ側装置１１９が接続を行うに必要な本質的情報の問合せ応答テーブルを構築できるようにするに充分な情報を有する問合せ応答パケットで応答する。問合せパケットを確認するいかなるブルーツース装置も応答することができる。問合せ側装置１１９は、ここで、ユーザターミナル１０１との接続を開始することができる。問合せ側装置１１９は、問合せ応答パケットに与えられた情報を使用して、ページングメッセージを作成して、ユーザターミナル１０１へ送信することができる。接続を確立するために、問合せ側装置１１９は、ページ状態に入らねばならず、この状態では、問合せ側装置は、問合せ応答パケットから取得したアクセスコード及びタイミング情報を使用してユーザターミナル１０１へページングメッセージを送信する。ユーザターミナル１０１は、問合せ側装置１１９がこれに接続するのを許すにはページ走査状態になければならない。ページ走査状態になると、ユーザターミナル１０１は、ページングメッセージを確認し、そして問合せ側装置１１９は、ページングパケットを送信し、これは、問合せ側装置１１９のクロックタイミング及びアクセスコードをユーザターミナル１０１へ与える。ユーザターミナル１０１は、ページ確認パケットで応答する。これは、２つの装置が非同期コネクションレス（ＡＣＬ）リンクを形成すると共に、両装置が接続状態へ遷移できるようにする。
【００２９】
問合せ側装置１１９は、次いで、サービス発見プロトコル（ＳＤＰ）サーチ要求パケットをユーザターミナル１０１へ送信することができる。このＳＤＰ要求パケットは、サービスサーチパターン及び属性ＩＤリストを含むＳＤＰサービスサーチ属性要求を保持する。サービスサーチパターンは、ユーザターミナル１０１がＳＤＰデータベース２０９のサービス登録においてマッチすべきパターンの記述である。ユーザターミナルは、それがサービスを要求した場合に、サービスハンドルで応答する。サービスハンドルは、属性が要求されるところのサービスを識別する。属性ＩＤリストは、問合せ側装置１１９が要求する属性を識別する。
【００３０】
ＳＤＰデータベース２０９におけるＳＤＰサービス登録は、サービス記録をブラウジングハイアラーキーに記憶する。サービス記録は、ブラウズすることのできるツリーとして作られたハイアラーキーに構成される。問合せ側装置１１９は、パブリックブラウズルートを検査することにより開始し、次いで、ハイアラーキーをたどって、ツリーのブランチであるサービスクラスへ進み、そしてそこからリーフノードへ進み、ここでは、個々のサービスがサービス記録に記述される。サービスクラスをブラウズするか又はサービスに関する特定の情報を得るために、問合せ側装置１１９及びユーザターミナル１０１は、ＳＤＰパケットに保持されたメッセージを交換する。２つの形式のＳＤＰパケット、即ちＳＤＰサービスサーチ属性要求パケット及びＳＤＰサービスサーチ属性応答パケットが存在する。ＳＤＰ要求パケットは、サービスサーチパターン及び属性ＩＤリストを含むＳＤＰサービスサーチ属性要求を保持する。サービスサーチパターンは、ユーザターミナル１０１がデータベース２０９におけるそのＳＤＰサービス登録においてマッチすべきパターンの記述である。ユーザターミナル１０１は、それがサービスを要求した場合に、サービスハンドルで応答する。サービスハンドルは、属性が要求されるところのサービスを識別する。属性ＩＤリストは、問合せ側装置１１９が要求するところの属性を識別する。ユーザターミナル１０１により返送されるＳＤＰ応答パケットは、サービス記録ハンドルリスト及び属性を含むＳＤＰサービスサーチ属性応答を保持する。サービス記録ハンドルリスト及び属性は、次いで、問合せ側装置１１９により検査される。
【００３１】
上述したように、ユーザのワイヤレスターミナル１０１からの問合せ応答パケットは、接続を行うに必要な本質的情報の問合せ応答テーブルを問合せ側装置１１９が構築できるようにするに充分な情報を有する。ユーザのワイヤレスターミナル１０１により送信された問合せ応答パケットに対するブルーツース周波数ホップ同期（ＦＨＳ）パケット構造は、装置クラス(class-of-device)（ＣｏＤ）フィールドを含む。本発明の１つの態様において、ワイヤレスターミナルのユーザが自分のパーソナルプロフィール情報を問合せ側装置に与えることを希望するときに、ユーザは、パーソナルプロフィール応答状態を「オン」にセットする。これは、ユーザのワイヤレス装置１０１が、その問合せ応答パケットの装置クラス（ＣｏＤ）フィールドに、そのパーソナルプロフィールを使用できるという状態を書き込むようにさせる。
【００３２】
問合せ側装置１１９は、ユーザのワイヤレスターミナル１０１のような応答側装置から受信された問合せ応答パケットの情報で問合せ応答テーブルを構成する。問合せ応答テーブルは、リンクコントローラにより問合せ側装置１１９に収集された本質的情報を示し、これは、いずれかの応答側ワイヤレス装置との接続を行うのに必要なものである。本発明のこの態様では、装置クラス（ＣｏＤ）フィールドが、そのパーソナルプロフィールを使用できる状態であるユーザのワイヤレスターミナル１０１のような応答側装置にフラグが立てられる。
【００３３】
問合せ応答テーブルに収集されたデータを処理するために問合せ側装置１１９においてプログラムできる選択肢は多数ある。問合せ側装置１１９は、応答側装置の装置クラス（ＣｏＤ）フィールドが、そのパーソナルプロフィールを使用できる状態であるかどうか決定するようにプログラムできる。もしそうであれば、問合せ側装置１１９は、ユーザのワイヤレスターミナル１０１のＳＤＰサービス記録をブラウズし又はサーチすることができる。というのは、それらが、使用可能なパーソナルプロフィール情報を有することがここで分かるからである。装置クラス（ＣｏＤ）フィールドの分析には、問合せ応答パケットの受信しか必要とせず、２つの装置間の接続の完成を必要としないので、この選択肢は、応答側装置の迅速なサーチを与える。問合せ側装置１１９は、その初期ログオンメニューにおいて「クイックサーチ(QUICK SEARCH)」選択肢をユーザに与えることができ、これは、問合せ応答テーブルに収集されたデータをチェックするプロセスに基づいて、応答側装置の装置クラス（ＣｏＤ）フィールドがそのパーソナルプロフィールを使用できる状態であるかどうか決定することができる。この実施は、任意である。
【００３４】
問合せ側装置１１９は、ユーザのワイヤレスターミナル１０１のような応答側装置の装置クラス（ＣｏＤ）フィールドが、該装置クラス（ＣｏＤ）フィールドで指定されたパーソナルプロフィール情報の特定形式を有するかどうか決定するようにプログラムできる。問合せ側装置１１９は、それを、該問合せ側装置１１９におけるサーチ選択肢リストテーブルのエントリーにマッチングさせることができる。例えば、ユーザのワイヤレスターミナル１０１は、その問合せ応答パケットの装置クラス（ＣｏＤ）フィールドにおいて、デーティング／マッチメークパーソナルプロフィールが使用できることを指示するようにユーザによりセットできる。問合せ側装置１１９は、その特定の装置クラス（ＣｏＤ）を確認し、そしてユーザのワイヤレスターミナル１０１のＳＤＰサービス記録をブラウジング又はサーチすることにより応答するように、ユーザによりプログラムできる。問合せ側装置１１９は、ユーザのワイヤレスターミナル１０１からのデーティング／マッチメークパーソナルプロフィール情報でＳＤＰサービス記録の任意の特殊な処理を行なうようにプログラムすることができる。
【００３５】
図３Ａは、メモリ２１５（図２）に記録として記憶された典型的なユーザプロフィール３００の概要を示すもので、このプロフィールは、アドホックネットワークの別のユーザからの問合せに応答するために電話帳２０７（図２）のエントリーに対するポインタを有する連絡情報３０１を含む。プロフィール３００は、更に、図３Ｂを参照して以下に詳細に述べるように、ユーザのパーソナル情報、関心事、及び他の事柄を定義する標準化プロフィール部分３０４も含む。一実施形態では、記録は、複数の「ビットマスク」３０６1、・・・３０６Nを含み、ここで、複数は整数「Ｎ」である。各ビットマスクは、プロフィールを表わす２バイトを含み、バイト３０８は、部分３０４においてプロフィールを識別し、そしてバイト３１０は、ユーザがそのプロフィールのコンテンツを特徴づけできるようにする。プロフィールは、一実施形態では、イエス／ノー選択を指示するために２進１（黒丸で示す）及び２進０（白丸で示す）を使用するか又はこれを逆にしたものを使用してプロフィールのクオリティを識別することにより、特徴付けることができる。アート、デーティング及びスポーツのような一般的な関心事を指示するために規定により指定されたビットマスク値が存在し得る。ビットマスク３０６は、ユーザがＳＤＰデータベース２０９に記憶した多数のプロフィールの中で１つのプロフィールをユーザが選択し易いように使用できる。又、ビットマスクは、問合せ側装置１１９との通信を容易にするためにも使用できる。問合せ側装置１１９は、ユーザターミナル１０１により返送されるＳＤＰ応答パケットにおけるビットマスク３０６を検索することもできる。ＳＤＰ応答パケットは、ビットマスクを含むＳＤＰサービスサーチ属性応答を保持する。従って、ビットマスクは、その値を、一般的関心事を指示する基準ビットマスク値と比較して、問合せ側装置１１９により検査することができる。
【００３６】
図３Ａのプロフィール３００は、更に、データストリーム３１４で表わされたユーザ及び／又は製造者定義プロフィール部分３１２も含み、データストリームは、複数の３部分サブフィールド３１８1、３１８2、・・・３１８nを有するユーザ識別フィールド３１６を含み、ここで、複数は、整数「ｎ」である。各サブフィールドは、ターミナルに関連したユーザ又は製造者を識別する名前部分３２０と、名前又は製造者に関連した特定の情報を定義するフォーマット部分３２２と、ユーザ又は製造者に関連した特定の情報を表わすコードを与える値部分３２４とを含む。データストリーム３１４は、ユーザがＳＤＰデータベース２０９に記憶した多数のプロフィールの中で１つのプロフィールをユーザが選択し易いように使用できる。又、データストリーム３１４は、問合せ側装置１１９との通信を容易にするためにも使用できる。問合せ側装置１１９は、ユーザターミナル１０１により返送されたＳＤＰ応答パケットにおいてデータストリーム３１４を検索できる。ＳＤＰ応答パケットは、データストリーム３１４を含むＳＤＰサービスサーチ属性応答を保持する。データストリーム３１４は、問合せ側装置１１９により検査することができる。
【００３７】
図３Ｂは、複数のサブプロフィールで構成されたパーソナルプロフィール３００の詳細な図である。サブプロフィール３００1は、メッセージ処理を定義する。サブプロフィール３００2は、ユーザ情報、関心事等に関連したパーソナルプロフィールの編集を与える。サブプロフィール３００Nは、アドホックネットワークにおいてユーザから受信されたメッセージをフィルタするためのプロセスを与える。各サブプロフィールは、複数のフィールドにより定義されたユーザ関心事のリストを含み、各フィールドは、一連の属性を含み、そして各属性は、名前、形式及び値により定義される。
【００３８】
図３Ｂのサブプロフィール３００1は、アドホックネットワーク又はアクセスポイントから受信された受信メッセージを、広告３０３、警報３０５、アナウンス３０７及びパーソナルメッセージ３０９に分類する。ｈｔｔｐ：／／ｗｗｗ．ｗ３．ｏｒｇ／ＰＩＣＳ．において発表された「Platform For Interconnect Content Selection (PICS) Rules」を使用して、スクリーニングプログラムは、各メッセージのコンテンツを記述する指示子を与える。この指示子は、サブプロセスによって確認され、そして図３Ｂのスクリーン３１１を経て入力されるユーザの関心事に基づいて受け入れられるか又は拒絶される。ユーザは、拒絶されるべきメッセージをクリックし、他のメッセージは、ユーザに表示するために処理することができる。スクリーン３１１は、パーソナルデータサーバー１２９（図１を参照）の記録を変更せずに、ユーザがいつでもメッセージの選択を変更できるようにし、これにより、パーソナルプロフィールをユーザのメッセージ関心事と共に流動性とすることができる。
【００３９】
図３Ｂのサブプロフィール３００2は、ユーザが、ユーザのプライベートプロフィール情報をインストールしそして編集することができるようにし、この情報は、年齢、性別、職業に関連した電話帳情報、連絡情報、ピクチャー、及びユーザがアドホックネットワークの他のユーザに入手できるようにすることを希望する他の関連情報を含む。又、サブプロフィール３００2に含まれるのは、図３Ｂのスクリーン３１７に指示される異なるカテゴリーに存在してもよいユーザの関心事３１５である。これらカテゴリーは、例えば、アート、プレゼント、デーティング及びスポーツを含む。各関心事は、特定の関心事をカテゴリーでリストする図３Ｂのスクリーン３１９において更に拡張される。
【００４０】
図３Ｂのサブプロフィール３００2は、更に、異なる商人Ａ、Ｂ、Ｃ、Ｄに対するショッピングリスト３２１も含み、各リストは、添付サブスクリーン（図示せず）に述べられたようにユーザが関心を有するキーワード又は商品を含む。サブスクリーンは、ユーザがショッピングリストのコンテンツを編集したり又はそこから削除したりするのを許す。
【００４１】
又、図３Ｂのサブプロフィール３００2は、商品が注文されそして商人により支払が要求された場合にユーザにより発生できるデジタル符牒を含んでもよい。デジタル符牒及びそれらの保護は、１９９６年、ニューヨーク州、ニューヨーク、ジョンウィリー＆ソンズ出版、パート２．６、ＩＳＢＮ  ０−４７１−１２８４５−７に掲載されたシュナイヤー著の論文「Applied Cryptograhy」に説明されている。
【００４２】
図３Ｂのスクリーン３０２に応答して、サブプロフィール３００nは、ユーザプロフィールをフィルタする。サブプロフィール３００nは、ユーザが、状態３２５「全メッセージを受け入れる」、又は状態３２７「全メッセージを拒絶する」、或いは状態３２９「全メッセージをフィルタする」を確立できるようにする。これは、ユーザ情報３１３に関連したＰＩＣＳルールを使用するか、又はユーザ関心事３１５を使用するか、或いはショッピングリスト３２１を使用して行なわれる。これは、ユーザが、メッセージをフィルタするキーワードを編集／除去できるようにする能力を与える。
【００４３】
【表１】
2005519372.tif 000003
【００４４】
テーブルＡは、１つのＳＤＰ記録でフォーマットされたユーザパーソナルプロフィールを表わすもので、連絡情報と、標準ユーザプロフィールと、ユーザ及び／又は製造プロフィールとを含む。テーブルＡは、ＳＤＰデータベース２０９（図２）に記憶された１つのサービス発見プロトコル（ＳＤＰ）記録４００でフォーマットされた全てのユーザプロフィールを示す。テーブルＡは、「Ａ」ないし「Ｈ」と示された８つの列と、「１」ないし「２５」と示された２５個の行とに編成される。テーブルＡに示された記録４００は、行１及び２に示された連絡情報部分３０１と、行３ないし１２に示された標準化プロフィール部分３０４と、行１３ないし２５に示されたユーザ及び／又は製造者定義プロフィール部分３１２とを含む。
【００４５】
テーブルＡの連絡情報部分３０１は、テーブルＡの列Ｅ及びＦ、行２に示されたｖＣａｒｄ  ｓｔｒｉｎｇを含み、その内容は図４Ａに示されている。図４Ａは、テーブルＡの連絡情報部分３０１に得られるテキストエンコードｖＣａｒｄフォーマット４０１を表わす。連絡情報部分３０１は、個人の名前、音声及びファックスの両方の電話を含む。ｖＣａｒｄは、パーソナルデータ交換のための電子ビジネスカードである。ｖＣａｒｄは、ビジネスカードの交換、インターネットメール、コンピュータ／電話アプリケーション、及びビデオ・データ会議を含む種々のデータ交換を容易にする。カードは、ｈｔｔｐ：／／ｗｗｗ．ｉｍｃ．ｏｒｇ／ｐｄｉ／ｖｃａｒｄｏｖｅｒｖｉｅｗ．ｈｔｍｌにおいてインターネットメールコンソーティウムにより公表されたｖＣａｒｄ  Ｖ２．１仕様に説明されている。インターナットエンジニアリングタスクフォース（ＩＥＴＦ）は、ｖＣａｒｄバージョン３の仕様を発表した。２つの定義部分は、ＲＦＣ２４２５、ディレクトリ情報のためのＭＩＭＥコンテンツ形式、及びＲＦＣ２４２６、ｖＣａｒｄ  ＭＩＭＥディレクトリプロフィールである。将来、ＤＴＤに基づくＸＭＬフォーマットのような他のフォーマットがｖＣａｒｄに置き換わってもよい。
【００４６】
テーブルＡの行３ないし１２に示された標準化プロフィール部分３０４は、ＵｓｅｒＰｒｏｆｉｌｅＩＤリスト、例えば、テーブルＡの列Ｂ及びＣ、行４に示されたＵｓｅｒＰｒｏｆｉｅｌｄＩＤ＃１、及びテーブルＡの列Ｂ及びＣ、行７に示されたＵｓｅｒＰｒｏｆｉｅｌｄＩＤ＃２から、テーブルＡの列Ｂ及びＣ、行１０に示されたＵｓｅｒＰｒｏｆｉｅｌｄＩＤ＃ｎまでを含む。各ＵｓｅｒＰｒｏｆｉｅｌｄＩＤプロフィールは、テーブルＡの列Ｃ、行５に示されたバージョンナンバー、テーブルＡの列Ｃ、行６に示されたプロフィールフィルタ、テーブルＡの列Ｄ、行６に示された記録、例えば、ビットマスク、テーブルＡの列Ｅ、行４に示されたＵＵＩＤ、及びテーブルＡの列Ｆ、行５に示されたビットマスクコードを含み、これは、図３Ａに参照番号３０６1で示されたものである。
【００４７】
テーブルＡの行１３ないし２５に示されたユーザ／製造者定義プロフィール部分３１２は、テーブルＡの列Ｂ、行１４，１８及び２２に示された複数のプロフィールＩＤを含む。これらプロフィールＩＤは、各々、テーブルＡの列Ｅ、行１４に示されたＵＵＩＤで識別され、これは、図３Ａの参照番号３１４に関連して説明したように、テーブルＡの列Ｃ、行１５に示されたフィールド名、テーブルＡの列Ｃ、行１６に示されたフィールド形式、及びテーブルＡの列Ｃ、行１７に示されたフィールド値を含む。各フィールドは、テーブルＡの列Ｄ、行１５に示されたプロフィールバージョンに関連付けられ、これは、名前についてテーブルＡの列Ｅ、行１５に示されたビットストリング、フォーマットについてテーブルＡの列Ｅ、行１６に示された記述子、及び値として変化するテーブルＡの列Ｅ、行１７に示されたパラメータとによって定義される。
【００４８】
図４Ｂに示された非標準プロフィール４５０が準備されてＳＤＰ記録に含まれてもよい。図４Ｂは、テーブルＡのＳＤＰ記録に得られるＸＭＬエンコードの非標準プロフィールを表わす。各非標準プロフィールは、標準プロフィール３０４の情報コンテンツを追跡する文書形式、エレメント及びユーザプロフィールバージョンを定義するようにＸＭＬエンコードされてもよい。ＸＭＬプログラム、バージョン１．９は、１９９８年２月にＷ３Ｃ推奨勧告に記述されている。
【００４９】
【表２】
2005519372.tif 000004
【００５０】
テーブルＢは、図３Ａのユーザプロフィールを表わすもので、ＳＤＰデータベース２０９における１つのサービス発見プロトコル（ＳＤＰ）記録でフォーマットされ、電話帳２０７及びプロフィールデータベース２１１に対するポインタを伴うものである。テーブルＢは、テーブルＡは、「Ａ」ないし「Ｈ」と示された８つの列と、「１」ないし「１６」と示された１６個の行とに編成される。テーブルＢに示された記録４００は、行１及び２に示された連絡情報部分３０１と、行３ないし１２に示された標準化プロフィール部分３０４と、行１３ないし１６に示されたユーザ及び／又は製造者定義プロフィール部分３１２とを含む。テーブルＢは、ユーザターミナル１０１における電話帳データベース２０７及びプロフィールデータベース２１１（図２を参照）に対するポインタと共に１つのＳＤＰ記録でフォーマットされたユーザプロフィール４００を示す。テーブルＢの連絡情報部分３０１は、電話帳３１３（図３Ｂ）のｖＣａｒｄについてテーブルＢの列Ｂ、行２に示されたインデックスを含む。テーブルＢの標準プロフィール部分３０４は、テーブルＡで述べたように、ユーザプロフィールＩＤについてテーブルＢの列Ｄ、行３に示されたリストを含む。テーブルＢのユーザ及び／又は製造者定義プロフィール３１２は、テーブルＡで述べたように、プロフィールＩＤのリストについてテーブルＢの列Ｄ、行１４に示されたインデックスを含む。ユーザは、テーブルＢの列Ｂ、行２に示されたインデックス、テーブルＢの列Ｄ、行３に示されたリスト、及びテーブルＢの列Ｄ、行１４に示されたインデックスを使用して、図２に示されたＳＤＰデータベース２０９のプロフィールを指してもよい。
【００５１】
図２と共に図５を参照して、ユーザの移動ターミナル１０１においてプロフィールを形成し編集するプロセス７００について説明する。ステップ７０１においてプロセスがスタートし、ステップ７０２において電話帳データベース２０７に入る。ステップ７０３では、メモリ２１５に記憶された電話帳編集メニュー（図示せず）がアクチベートされて、ユーザの連絡情報が入力される。連絡情報は、一実施形態では、図３Ｂに示すように、年齢、性別、職業及び他の詳細を含む。ステップ７０５において、プロフィールデータベース２１１に入るべきかどうかを決定するためのテストが行なわれる。「ノー」の状態では、ステップ７０７において、電話帳及び編集メニューから出る。「イエス」の状態では、ステップ７０９において、メモリ２１５に記憶されたプロフィール編集メニュー（図示せず）をアクチベートし、標準化プロフィール４００を作成し、ＯＢＥＸファイルとしてプロフィールデータベース２１１に記憶する。ステップ７１１では、関心事、ショッピングリスト等に関連した多数の使用可能なプロフィールの中から埋めるべきプロフィールが選択される。ステップ７１３では、ユーザがプロフィールを完成したい場合に、プロセスは、図６のエントリーポイントＡへ進む。さもなければ、ステップ７２１は、他のプロフィールを完成するユーザの関心を決定する。「イエス」の選択は、プロセスをステップ７１１及び７１３へ返送させる。「ノー」の選択は、ステップ７３１においてプロフィール編集メニューから退出させると共に、ステップ７３３においてプロセスが終了となる。
【００５２】
図６では、ステップ７１５において、プロフィールが標準フォーマットであるかどうか決定するためのテストが行なわれる。「イエス」の状態は、ステップ７１７を開始し、図３Ｂにおいて述べたターミナルスクリーン３０２、３１１、３１７、３１９等にプロフィールアイテム及びカテゴリーが表示される。プロフィールを完成するためにステップ７１９において関連アイテムが選択され、プロフィールは、ＳＤＰデータベース２０９にＳＤＰサービス記録として記憶されるか、又はプロフィールデータベース２１１にＯＢＥＸファイルとして記憶される。ステップ７２９では、他のプロフィールを完成するための関心を決定するためにユーザに問合せがなされる。「イエス」の選択は、図５のエントリーポイントＢへプロセスを移行させ、ステップ７１１及び７１３を繰り返す。「ノー」の選択は、図５のエントリーポイントＣへプロセスを移行させ、ステップ７３１においてプロフィール編集メニューから退出する。
【００５３】
図６において、ユーザが、ＳＤＰデータベース２０９又はプロフィールデータベース２１１の非標準プロフィール、例えば、ユーザ／製造者定義プロフィール３１２（図３Ａ）に入ろうとする場合には、ステップ７２２が行われて、プロフィールに名前が指定される。指定の名前又はフォーマットは、ステップ７２４においてアイテムに指定され、そしてステップ７２５においてアイテムに値が指定される。付加的なアイテムを定義すべきかどうか決定するためにテスト７２８が実行される。「イエス」の選択は、プロセスをステップ７２４へ復帰させる。「ノー」の選択は、プロセスをステップ７２９へ移行させ、ここで、「イエス」の選択は、図５において既に説明したように、図５のエントリーポイントＢ及びステップ７１１、７１３へプロセスを復帰させる。「ノー」の選択は、既に述べたように、図５のエントリーポイントＣへプロセスを復帰させる。
【００５４】
図７は、ブルーツースパケット構造及びＳＤＰサービスサーチ要求フォーマットを使用して、ユーザプロフィールサポートを有する図１のユーザワイヤレスターミナル１０１のようなユーザブルーツースターミナル８０３のパーソナルプロフィールをアクセスするために、図１の問合せ側装置１１９のようなブルーツースターミナル又はアクセスポイント８０１に問合せするプロセス８００を示す。ステップ８０５では、問合せ側ターミナル８０１は、ユーザブルーツース問合せ８０５を送信し、そしてユーザ８０３は、問合せ応答８０７で応答する。問合せ側ターミナル８０１は、ステップ８０９においてＳＤＰ問い合わせを送信し、ユーザターミナルがユーザパーソナルプロフィールをサポートするかどうか決定する。ステップ８１１では、ユーザ８０３が、パーソナルプロフィールが使用できることを指示するＳＤＰ問合せ応答を与える。問合せ側ターミナル８０１は、ステップ８１３において、プロフィールの全部又は一部分を読み取り、必要に応じて多数のＳＤＰ問合せを送信する。ユーザ８０３は、ステップ８１５においてＳＤＰ問合せに応答する。問合せ側ターミナル８０１は、オブジェクト交換プロトコルを使用するＯＢＥＸ要求８１７により、ＳＤＰに得られないより詳細な連絡情報プロフィールを検索する。オブジェクト交換（ＯＢＥＸ）プロトコルは、９４９５８米国カリフォルニア州ウォルナットクリークＰＯボックス３８８３のインフラレッドデータアソシエーション、バージョン１．２に説明されている。問合せ側ターミナル８０１により多数のＯＢＥＸ要求８１７がなされてもよく、ユーザ８０３は、ステップ８１９において要求に対するＯＢＥＸ応答を与え、その後、プロセスが終了となる。
【００５５】
図８は、ユーザの移動ターミナル８５０の外部にユーザプロフィールを記憶するための別の実施形態を示す。プロフィールは、インターネット８５５を経てデスクトップコンピュータ又はラップトップ８５３にリンクされたユーザプロフィールサーバー８５１に記憶されてもよい。ユーザは、デスクトップコンピュータ又はラップトップ８５３を使用して、プロフィールサーバーにおいてプロフィールを形成し、編集しそして変更してもよい。ユーザの移動ターミナル８５０は、ワイヤレスアプリケーションプロトコル（ＷＡＰ）ゲートウェイ８５７を経てプロフィールサーバー８５１にアクセスすることができ、ゲートウェイ８５７は、移動ターミナル８５０がアクセスするところのセルラー電話ネットワーク８６１にサービスする。ゲートウェイは、ＷＡＰフォーラムによりサポートされ且つそこから得られるワイヤレスアプリケーションプロトコルを実施する。パーソナルプロフィールのブルーツース問合せは、ユーザプロフィールサーバーにアクセスするためにインターネットにリンクされたＷＡＰゲートウェイを経て、ユーザプロフィールサーバー８５１へ送信することができる。これらプロフィールは、アドホックネットワークの他のターミナルからの問合せに応答するためにユーザの移動ターミナル８５０にダウンロードされる。パーソナルプロフィールをサーバー８５１に記憶すると、図２に示すユーザの移動ターミナルにおける電話帳、ＳＤＰ及びプロフィールデータベースの記憶負荷が減少される。
【００５６】
従って、本発明によれば、ワイヤレス移動ターミナルのユーザは、ユーザのパーソナルプロフィールを自分のターミナルにインストールしそしてそのプロフィールをリアルタイムで更新することができる。例えば、本発明によれば、セールス代表者は、潜在的顧客の認知された関心事にマッチさせるように、自分の仮想ビジネスカードをリアルタイムで更新することができる。デーティング／マッチメーク筋書きの別の例として、仮想ビジネスカードの交換を伴うチャンスミーティングの間に、ユーザは、他のユーザの認知された関心事にマッチさせるように、自分のパーソナル関心情報をリアルタイムで更新することができる。
【００５７】
本発明の別の実施形態では、プッシュモードにより、ユーザターミナルはユーザプロフィール情報を放送することができる。図９は、２つのブルーツース装置間のプロフィールプッシュ及びプロフィール比較を使用する本発明の実施形態のネットワークプロセス図である。問合せ側装置１１９、ユーザターミナル１０１及びワイヤレス装置１２１がブルーツース装置問合せ段９０５に参加する。次いで、問合せ側装置１１９は、プロフィールプッシュメッセージ９０７をユーザターミナル１０１に送信する。プロフィールプッシュメッセージ９０７は、問合せ側装置１１９においてプロフィールを特徴付けるに充分な情報を含み、ユーザターミナル１０１が２つの装置のユーザプロフィール間の類似性を比較できるようにする。このような特徴情報は、例えば、ユーザ又はユーザの装置１１９に関するある限定された情報でよい。このような特徴情報は、ステップ９０８においてユーザターミナル１０１により検査できるビットマスクでよく、その値が、一般的な関心を指示する基準ビットマスク値と比較される。この例では、ユーザターミナル１０１は、ステップ９０８において、問合せ側装置１１９のプロフィールに関してより多くの情報を得るために関心事を正当に表現するに充分なほど２つのユーザプロフィールが匹敵すると決定する。次いで、ユーザターミナル１０１は、「私は関心がある」といったプロフィール応答９０９を問合せ側装置１１９に返送する。その間に、問合せ側装置１１９は、メッセージ９０７と同様に、別のプロフィールプッシュメッセージ９１１をワイヤレス装置１２１へ送信する。この例では、ワイヤレス装置１２１は、ステップ９１２において、２つのユーザプロフィールが匹敵しないと決定する。次いで、ワイヤレス装置１２１は、「関心がない」といったプロフィール応答９１３を問合せ側装置１１９に返送する。ユーザターミナル１０１により問合せ側装置１１９へ送信された「私には関心がある」というプロフィール応答９０９に応答して、問合せ側装置１１９は、ステップ９１４においてパーソナル情報を送信する準備ができる。問合せ側装置１１９は、プロフィールメッセージ９２５を、プロフィール情報「私の電話番号」と共にユーザターミナル１０１へ送信する。
【００５８】
図１０は、２つのブルーツース装置間に認証を追加した図９の実施形態のネットワークプロセス図である。ステップ９１４に続いて、問合せ側装置１１９は、認証要求９１５をユーザターミナル１０１に送信する。ステップ９１６では、両ユーザがそれらの各装置１０１及び１１９に同じＰＩＮを入力する。次いで、ユーザターミナル１０１は、認証応答９１７を問合せ側装置１１９に返送する。次いで、問合せ側装置１１９は、プロフィールメッセージ９２５を、プロフィール情報「私の電話番号」と共にユーザターミナル１０１へ送信する。
【００５９】
本発明の別の実施形態では、ユーザのショートレンジワイヤレスターミナルは、そのパーソナルプロフィール内の情報を、それら各ユーザプロフィールが規定の裕度内でマッチングする場合に、問合せ側ワイヤレスターミナルと共有することができる。
【００６０】
本発明の別の実施形態では、ユーザのショートレンジワイヤレスターミナルは、自分のローカルユーザプロフィールの一般的情報部分を、それら各ユーザプロフィールが第１の厳密なマッチングレベルをもつ場合に、別のショートレンジワイヤレスターミナルと共有することができる。各ユーザプロフィールが第２の厳密なマッチングレベルをもつ場合には、２つのターミナルは、更に、それらの各ユーザプロフィールにより詳細な情報を共有することができる。
【００６１】
一般的情報は、受信者を認証せずに且つブルーツースの暗号化も伴わずに、プッシュモデルにおいて転送することができる。しかしながら、ユーザプロフィールのより詳細なプライベート部分の送信は、認証及び暗号化によって保護されねばならない。例えば、プロフィールのより詳細なプライベート部分を送信する前に、送信側装置は、送信者と受信者との間のブルーツースＰＩＮの交換をトリガーし（これが以前に行われていない場合）、基本帯域接続の暗号化をオンにする。同様に、プルモデルの場合に、プロフィールのより詳細なプライベート部分のプル要求が、プロフィールを所有する装置をトリガーして、プル要求を発する装置の認証を要求する。
【００６２】
ブルーツース認証は、通常、２人のユーザがチャンネルの外部で、例えば口頭で、ＰＩＮを交換することを要求する。ある筋書きでは、これは望ましくない。本発明は、２人のユーザが互いの口頭通信を伴わずに機密を共有する他の方法も提供する。図１のサーバー１２９は、装置１０１及び１１９のユーザのようなユーザを登録することによりブルーツースリンクを経てマッチメークを行うことができる。登録は、ある年齢より上であるといったマッチメークのためのユーザの資格をチェックすることを含む。次いで、装置１０１及び１１９の２人の各登録されたユーザが、互いの会話に実際に加わらずに、プライバシーに敏感な情報の交換を試みるときに、それらユーザはサーバー１２９へリンクし、該リンクは、同じＰＩＮを両装置１０１及び１１９へ供給し、これにより、両装置１０１及び１１９のバックグランドでブルーツース認証手順を自動的に実行することができる。
【００６３】
ブルーツース規格に加えて、本発明は、ＩＥＥＥ８０２．１１ワイヤレスＬＡＮ規格、ＨＩＰＥＲＬＡＮ規格、ＩＥＥＥ８０２．１５ワイヤレスパーソナルエリアネットワーク（ＷＰＡＮ）規格、赤外線データ関連付け（ＩｒＤＡ）規格、デジタル・エンハンスト・コードレス・テレコミュニケーションズ（ＤＥＣＴ）規格、共有ワイヤレスアクセスプロトコル（ＳＷＡＰ）規格、日本第３世代（３Ｇ）ワイヤレス規格、及びジャパニーズ・アソシエーション・オブ・ラジオ・インダストリー・アンド・ビジネスのマルチメディア移動アクセス通信（ＭＭＡＣ）システム規格のようなワイヤレス規格にも適用できる。
【００６４】
本発明は、その好ましい実施形態について説明したが、本発明の精神及び範囲から逸脱せずに種々の変更や修正がなされ得る。
【図面の簡単な説明】
【００６５】
【図１】本発明の原理を組み込んだアドホックネットワークにおけるユーザターミナル又はワイヤレス装置を示す図である。
【図２】図１のユーザターミナルのための内部アーキテクチャーの一実施形態を示す図である。
【図３Ａ】図１のユーザターミナル１０１において一実施形態としてビットマスクでフォーマットされた典型的なユーザパーソナルプロフィールを示す図である。
【図３Ｂ】図１のユーザターミナル１０１のための図３Ａのユーザパーソナルプロフィールを詳細に示す図である。ターミナルスクリーン３０２、３１１、３１７、３１９は、プロフィールアイテム及びカテゴリーについてのユーザターミナル１０１における表示を示す。
【図４Ａ】テーブルＡの連絡情報部分３０１において得られるテキストエンコードされたｖＣａｒｄフォーマットを示す図である。
【図４Ｂ】テーブルＡのＳＤＰ記録において得られるＸＭＬエンコードされた非標準プロフィールを示す図である。
【図５】本発明の一実施形態によりパーソナルプロフィールを形成しそして編集する方法を示す図である。
【図６】テーブルＡのＳＤＰ記録に入力するための図３Ａのプロフィールをフィルタリングする方法を示す図である。
【図７】図１のアドホックネットワークにおいてユーザプロフィールがサポートされるユーザターミナルのパーソナルプロフィールをアクセスする方法を示す図である。
【図８】ユーザの移動ターミナル９００の外部にユーザプロフィールを記憶する別の実施形態を示す図である。
【図９】２つのブルーツース装置間のプロフィールプッシュ及びプロフィール比較を使用する本発明の実施形態のネットワークプロセス図である。
【図１０】２つのブルーツース装置間に認証を追加する図９の実施形態のネットワークプロセス図である。
【図１】
2005519372.tif 000005
【図２】
2005519372.tif 000006
【図３Ａ】
2005519372.tif 000007
【図３Ｂ】
2005519372.tif 000008
【図４Ａ】
2005519372.tif 000009
【図４Ｂ】
2005519372.tif 000010
【図５】
2005519372.tif 000011
【図６】
2005519372.tif 000012
【図７】
2005519372.tif 000013
【図８】
2005519372.tif 000014
【図９】
2005519372.tif 000015
【図１０】
2005519372.tif 000016
【手続補正書】
【提出日】平成16年9月1日(2004.9.1)
【手続補正１】
【補正対象書類名】特許請求の範囲
【補正対象項目名】全文
【補正方法】変更
【補正の内容】
【特許請求の範囲】
【請求項１】
ユーザのショートレンジワイヤレスターミナルにおいてワイヤレスネットワーク内の問合せ側ワイヤレスターミナルとでユーザのパーソナルプロフィールを共有するための方法であって、
前記ユーザのショートレンジワイヤレスターミナルのデータベースにユーザのパーソナルプロフィールをインストールし、
前記パーソナルプロフィールを、それが前記ユーザのショートレンジワイヤレスターミナルにある間に、ユーザの入力に応答して編集し、そして
前記ユーザのパーソナルプロフィールを前記ユーザのショートレンジワイヤレスターミナルから問合せ側ワイヤレスターミナルへ送信する、
という段階を備えた方法。
【請求項２】
前記ユーザのショートレンジワイヤレスターミナル及び前記問合せ側ワイヤレスターミナルは、ブルーツース装置である請求項１に記載の方法。
【請求項３】
前記ユーザのショートレンジワイヤレスターミナルを、問合せ側ワイヤレスターミナルによりユーザのパーソナルプロフィールにアクセスするのを許す状態にセットする段階を更に備えた請求項２に記載の方法。
【請求項４】
ユーザのパーソナルプロフィールをインストールする前記段階は、更に、
ユーザのパーソナルプロフィールの標準化フォームをサービス発見プロトコル（ＳＤＰ）記録にインストールすることを含む請求項２に記載の方法。
【請求項５】
ユーザのパーソナルプロフィールをインストールする前記段階は、更に、
複数のフィールドにより定義されたＳＤＰ記録にユーザの関心のリストを含ませる段階を備え、各フィールドは、一連の属性を含み、そして各属性は、名前、形式及び値により定義される請求項４に記載の方法。
【請求項６】
ユーザのパーソナルプロフィールをインストールする前記段階は、更に、
各指定の関心を特徴付けるビットマスクを含ませる段階を備えた請求項５に記載の方法。
【請求項７】
ユーザのパーソナルプロフィールをインストールする前記段階は、更に、
個人化データの完全な補数を１つのＳＤＰ記録に記憶する段階を備えた請求項５に記載の方法。
【請求項８】
到来するメッセージをフィルタする段階を更に備えた請求項２に記載の方法。
【請求項９】
パーソナルプロフィールを編集する前記段階は、更に、
ユーザのターミナルにインデックススクリーンを表示して、ユーザがプロセスに関連したキーワードを編集及び除去するためのプロセススクリーンにアクセスできるようにし、そして
ユーザのターミナルのユーザインターフェイスを使用して前記パーソナルプロフィールを編集及び更新する、
という段階を備えた請求項２に記載の方法。
【請求項１０】
ネットワークを経て前記パーソナルプロフィールをアップロードし、それらを集中化データベースに記憶し、
前記集中化データベースに接続されたコンピュータで前記パーソナルプロフィールを編集できるようにし、そして
前記編集されたパーソナルプロフィールを前記ユーザターミナルへダウンロードする、
という段階を更に備えた請求項２に記載の方法。
【請求項１１】
ユーザのパーソナルプロフィールをインストールする前記段階は、更に、
ユーザのパーソナルプロフィールを含む電話帳セクションと、詳細なパーソナル情報のためのより詳細なデータセクションとに分割されたデータベースに、ユーザのパーソナルプロフィールをインストールする段階を備えた請求項２に記載の方法。
【請求項１２】
ユーザのパーソナルプロフィールをインストールする前記段階は、更に、
名前及びコンタクト情報のような一般的情報を前記電話帳セクションに書き込む段階を備えた請求項１１に記載の方法。
【請求項１３】
ユーザのパーソナルプロフィールをインストールする前記段階は、更に、
スポーツの関心及び趣味の関心のような詳細なパーソナル情報を前記より詳細なデータセクションに書き込む段階を備えた請求項１１に記載の方法。
【請求項１４】
前記応答段階は、更に、
ＳＤＰトランザクションにおいて前記要求された情報に対して標準化フォーマットを与えるように応答する段階を備えた請求項２に記載の方法。
【請求項１５】
前記応答段階は、更に、
オブジェクト交換（ＯＢＥＸ）トランザクションにおいてデータベースから付加的なユーザ定義情報へのリンクを設けることにより応答に付加的な規準を与える段階を備えた請求項１４に記載の方法。
【請求項１６】
前記応答段階は、更に、
前記ユーザの電話帳からのユーザ情報を、ｖＣａｒｄ電子ビジネスカードフォーマットでエンコードして送信する段階を備えた請求項１５に記載の方法。
【請求項１７】
前記応答段階は、更に、
前記パーソナルプロフィールを拡張マークアップ言語（ＸＭＬ）でエンコードして送信する段階を備えた請求項１５に記載の方法。
【請求項１８】
前記ユーザのショートレンジワイヤレスターミナルは、ユーザのパーソナルプロフィールからの情報をプルモデルにおいて問合せ側ワイヤレスターミナルへ転送する請求項１に記載の方法。
【請求項１９】
前記ユーザのショートレンジワイヤレスターミナルは、ユーザのパーソナルプロフィールからの情報をプッシュモデルにおいて問合せ側ワイヤレスターミナルへ転送する請求項１に記載の方法。
【請求項２０】
前記ユーザのショートレンジワイヤレスターミナルは、それらの各ユーザプロフィールが厳密なマッチングレベルを有する場合に、ユーザプロフィールにおけるより詳細なプライベート情報を前記問合せ側ワイヤレスターミナルとで共有する請求項１に記載の方法。
【請求項２１】
前記ユーザのショートレンジワイヤレスターミナルは、それらの各ユーザプロフィールが規定の裕度内でマッチする場合に、パーソナルプロフィールにおける情報を前記問合せ側ワイヤレスターミナルとで共有する請求項１に記載の方法。
【請求項２２】
ショートレンジワイヤレス通信システムにおいて他のターミナルによりアクセスするためのパーソナルプロフィールを含むターミナルにおいて、
ａ）ユーザ定義プロフィールを含むデータベースと、
ｂ）前記ユーザ定義パーソナルプロフィールをユーザ入力に基づいて編集するためのデータベース管理装置と、
ｃ）ユーザアクセスのために前記パーソナルプロフィールを表示するスクリーンディスプレイ装置と、
ｄ）他のターミナルからの問合せに応答して前記ユーザ定義プロフィールへアクセスするための装置と、
を備えたターミナル。
【請求項２３】
ｅ）前記データベースに記憶される各プロフィールを定義する記録を更に備えた請求項２２に記載のターミナル。
【請求項２４】
ｆ）トランザクションにおいて他のターミナルによるアクセスを許すために個人化状態にターミナルをセットする個人化装置を更に備えた請求項２２に記載のターミナル。
【請求項２５】
ｇ）マッチするパーソナルプロフィールを有する他のターミナルに対してショートレンジ通信ネットワークをサーチするサーチ装置を更に備えた請求項２２に記載のターミナル。
【請求項２６】
ｈ）ユーザによりネットワークを経てアクセスするためにリモート集中化データベースにユーザ定義プロフィールを記憶するリモートプロフィール記憶装置を更に備えた請求項２２に記載のターミナル。
【国際調査報告】
2005519372.tif 000017